【手続補正書】
【提出日】平成16年2月9日(2004.2.9)
【手続補正１】
【補正対象書類名】明細書
【補正対象項目名】全文
【補正方法】変更
【補正の内容】
【発明の名称】印刷機用の枚葉紙案内装置
【特許請求の範囲】
【請求項１】表刷りのためには枚葉紙曲げ取り具（１）を案内面（２）の隙間（３）に揺動させて挿入し、両面刷りのためには前記枚葉紙曲げ取り具（１）を揺動させて取り出し、その際に、前記案内面（２）の面要素（４）を移動させることによって前記枚葉紙曲げ取り具（１）をくわえ込むための隙間（３）が閉じられる、印刷機用の枚葉紙案内装置において、
駆動レバー（５）が表刷りへの切り替え時に、前記隙間（３）を作るために前記面要素（４）を移動させ、前記枚葉紙曲げ取り具（１）をつかんで隙間内を揺動させ、前記駆動レバー（５）は両面刷りへの切り替え時には、前記枚葉紙曲げ取り具（１）を隙間外に揺動させるために解放し、前記面要素（４）をつかんで移動させることを特徴とする印刷機用の枚葉紙案内装置。
【請求項２】前記駆動レバー（５）は２アームの回転レバーであり、その第１のアーム（６）は前記枚葉紙曲げ取り具（１）の解放と揺動挿入に用いられ、その第２のアーム（７）は前記面要素（４）の移動に用いられる、請求項１に記載の枚葉紙案内装置。
【請求項３】前記の移動可能な面要素（４）は、枚葉紙進行方向（１０）に見て開閉可能な隙間（３）の後ろに配置されている、請求項１または２に記載の枚葉紙案内装置。
【請求項４】フレキシブルな枚葉紙案内要素（９）が前記面要素（４または１４）の端部と排紙パイル（２０）との間に案内面（２）を連続させるために配置されており、そのフレキシブルな枚葉紙案内要素（９）は、一方の端部が固定されていて、他方の端部において面要素（４または１４）の運動に応じて方向転換および力の印加によって短くし、および長くすることができる、請求項３に記載の枚葉紙案内装置。
【請求項５】前記面要素（４または１４）は枚葉紙進行方向に見て一方の端部に、枚葉紙進行方向に対して横断方向に配置された横棒（８）を有し、この横棒（８）上を通って前記のフレキシブルな枚葉紙案内要素（９）が案内されており、この案内要素（９）には横棒（８）の区域で枚葉紙進行方向（１０）から外れる方向を向いた力（１１）が加えられ、また他方の端部（１２）は、前記枚葉紙案内要素（９）が前記面要素（４または１４）に続いて前記案内面（２）を連続させるように保持されている、請求項３または４に記載の枚葉紙案内装置。
【請求項６】前記のフレキシブルな枚葉紙案内要素（９）が閉じた軌道である、請求項４または５に記載の枚葉紙案内装置。
【請求項７】前記のフレキシブルな枚葉紙案内要素（９）が幾つかのコードである、請求項４または５に記載の枚葉紙案内装置。
【請求項８】前記面要素（４）がガイドによって支持されている、請求項１から７のいずれか１項に記載の枚葉紙案内装置。
【請求項９】前記面要素（４）が揺動可能なレバー（１３）に支持されている、請求項１から７のいずれか１項に記載の枚葉紙案内装置。
【請求項１０】前記揺動可能なレバー（１３）が、枚葉紙進行軌道（２１）に対する前記面要素（４）の位置が表刷りにおいても両面刷りにおいても等しくなるように、配置されている、請求項９に記載の枚葉紙案内装置。
【請求項１１】前記面要素（４）が、方向変更（１６）の後で枚葉紙進行軌道（２１）に倣うもう１つの移動可能な面要素（１４）に、回転できるように連結されており、その場合に、前記回転できるように連結する回転結合部（１５、１５' ）が方向変更（１６）の位置に配置されている、請求項１から１０のいずれか１項に記載の枚葉紙案内装置。
【請求項１２】前記回転結合部（１５' ）が湾曲した中間部材（１７）からなり、該中間部材（１７）は、前記面要素（４）および前記もう１つの面要素（１４）のそれぞれと回転できるように連結されている、請求項１１に記載の枚葉紙案内装置。
【請求項１３】前記面要素（４）はフレキシブルな結合部材によって前記もう１つの移動可能な面要素（１４）に連結されており、前記結合部材は方向変更（１６）の位置に配置されている、請求項１から１０のいずれか１項に記載の枚葉紙案内装置。
【発明の詳細な説明】
【０００１】
【発明の属する技術分野】
本発明は、表刷りのためには枚葉紙曲げ取り具を案内面の隙間に揺動させて挿入し、両面刷りのためには枚葉紙曲げ取り具を揺動させて取り出し、その際に、案内面の面要素を移動させることによって枚葉紙曲げ取り具をくわえ込むための隙間を閉じる、印刷機用の枚葉紙案内装置に関する。
【０００２】
【従来の技術】
印刷機においては、表刷りか両面刷りかによって異なる要求が枚葉紙案内に課せられる。表刷りにおいては、機械を１回通過する間に枚葉紙の片面のみが印刷されるが、その結果として枚葉紙は巻き癖がつく。それゆえ、そのような機械通過後、排紙パイルを形成する前に枚葉紙のそのような湾曲を除去する枚葉紙曲げ取り具を機械に設けることが必要である。
【０００３】
両面刷りにおいては機械を１回通過する間に枚葉紙の両側が印刷されるので、このような巻きを形成する傾向（巻き癖）は生じない。しかし、そのかわり、両面に印刷された枚葉紙を裏移りなしに、従って、エアクッションに載せて排紙パイルに搬送することが必要である。このような搬送には、エアノズルを設けることが可能な案内面が用いられる。この案内面には中断箇所があってはならない。なぜならば、そのような箇所は、枚葉紙の裏移りの危険が著しく大きいからである。
【０００４】
この問題を解決するために、ＤＥ  ４４  ２７  ８９７  Ｃ１により、案内面の下方にあって機枠に固定して配置された枚葉紙曲げ取り具を設けることが提案された。枚葉紙曲げ取り具は両面刷りのときには案内面を閉じるために平板で覆われる。このように構成することにより、簡単な機構によって、表刷りのためには枚葉紙曲げ取り具が提供され、両面刷りのためには閉じた案内面が作成されるが、その欠点は、枚葉紙曲げ取り具が案内面の下方になければならないことであり、それゆえ、枚葉紙曲げ取り具による曲げ取りのために枚葉紙が吸引されにくいことである。このように構成すると、枚葉紙曲げ取り具を最適に位置決めすることができない。
【０００５】
これに対し、ＤＤ  ２２５  ４０９  Ａ１は、冒頭（［発明の属する技術分野］）に記載した種類の枚葉紙案内装置において、圧縮ばねの力に抗してレバーによって作業位置から揺動して出るように枚葉紙曲げ取り具を構成することを提案している。この揺動は、カムを備えた揺りリンクによって達成され、該カムは同時に案内要素をガイド内で移動させる。枚葉紙曲げ取り具は、案内要素の移動によって生じる隙間内に揺動して挿入される。
【０００６】
しかし、この装置は複雑で高価な機構を有する。その理由は、枚葉紙曲げ取り具はロールとばねとを備えたレバー上に支持されているからである。ロールには、さらに、駆動される揺りリンクによってカムが作用する。揺りリンクは同時に連結器を通して案内要素を移動させる。そのような高価な機構は、複雑なだけでなく故障を生じやすく、大きな取り付け空間と比較的大きな駆動力を必要とする。
【０００７】
【発明が解決しようとする課題】
本発明の目的は、冒頭に記載した種類の枚葉紙案内装置を、構造が簡単で良好に機能し、わずかな取り付け空間しか必要としないように構成することである。
【０００８】
【課題を解決するための手段】
上記の目的を達成するために、本発明の枚葉紙案内装置は、駆動レバーが表刷りへの切り替えには、隙間を作るために面要素を移動させて、枚葉紙曲げ取り具をつかんで隙間内に揺動（以下、揺動挿入と記す）させ、駆動レバーは両面刷りへの切り替えには、枚葉紙曲げ取り具を隙間外に揺動させるために解放し、面要素をつかんで移動させる。
【０００９】
本発明の方法は、わずかな可動部材で間に合い、それによって簡単な構造と良好な機能が達成される。そのうえ、比較的わずかな駆動力しか必要がない。その理由は、摩擦はあまり発生せず、ばね力を克服する必要がないからである。それによって、軽快な手動切り換えを採用するか、または、わずかな機械的な調節力をもつ切り換えを採用することが可能である。
【００１０】
本発明の構成において、駆動レバーは２アームの回転レバーであり、その第１のアームは枚葉紙曲げ取り具の解放と揺動挿入に用いられ、その第２のアームは面要素の移動に用いられる。それによって、枚葉紙曲げ取り具の操作と面要素の移動が実質的に相次いで行われるので、その都度１つの操作力を加えるだけでよい。このようにすることによって、枚葉紙曲げ取り具と案内要素が歯車装置を介して互いに結合していて、同時に操作しなければならない冒頭に記載した従来の技術に比べて、駆動力を著しく小さくすることができる。
【００１１】
移動可能な面要素は、枚葉紙進行方向に見て開閉可能な隙間の後ろに、配置されていることが適切である。それであるから、この構成は、案内面のこの部分がその前方の区域におけるように湾曲しておらず、そのため、案内面と枚葉紙進行軌道との間隔が移動によって変わらない点で有利である。
【００１２】
他の好適な構成では、フレキシブルな枚葉紙案内要素が面要素、したがって、移動可能な面要素またはもう１つの移動可能な面要素の端部と排紙パイルとの間に配置されている。このフレキシブルな枚葉紙案内要素は案内面を連続させる働きをし、一方の端部は固定されていて、他方の端部は面要素の運動に応じて方向転換および力の印加によって短くし、および長くすることができる。
【００１３】
フレキシブルな案内要素は、ばね力によって巻き上げブラインドのように巻き取るように構成することができる。または、面要素は枚葉紙進行方向に見て端部に、枚葉紙進行方向に対して横断方向に配置された横棒を有し、この横棒上を通ってフレキシブルな枚葉紙案内要素が案内されている。この案内要素には横棒の区域で枚葉紙進行方向から外れる方向に向く力が加えられ、また他方の端部は面要素に続いて枚葉紙案内要素が案内面を連続させるように保持されている。もちろん、横棒は排紙パイルの区域にもあって、面要素に固定手段を設けることができる。このように構成することによって、案内要素を移動させても、枚葉紙を案内する最後のシリンダまたは胴から排紙パイルまで隙間がない閉じた案内面が保証される。このことは非常に重要である。その理由は、そのような隙間ではエアクッションが保証されないので、両面刷りの場合にはこれらの位置で裏移りが生じる危険があるからである。
【００１４】
枚葉紙案内要素はフレキシブルな閉じた軌道として形成でき、たとえばフォイルからなることができる。しかし、枚葉紙案内要素が幾つかのコードからなり、これらのコードがこの区域で既に若干乾燥した枚葉紙を案内することも可能である。
【００１５】
移動可能な面要素はガイドによって支持することができるが、面要素は揺動可能なレバーに支持されるようにすることもできる。後者の可能形態は非常に簡単で、したがって安価に作成できる方法である。好適な実施態様では、枚葉紙進行軌道に対する面要素の位置が表刷りと両面刷りとで等しくなるようになっている。このことは、たとえば揺動可能なレバーを適当に配置することによって達成することができる。
【００１６】
枚葉紙進行軌道の方向変更を有する排紙装置に対して、他の実施態様を提案することができる。このような方向変更は、たとえば枚葉紙進行軌道がまず機械から離れて上方に向かい、次に水平に延びて比較的高い排紙パイルの上方で終わるように構成することができる。この実施態様では、面要素が、方向変更の後で枚葉紙進行軌道に倣うもう１つの移動可能な面要素と回転結合（回転できるように連結）しており、その場合、回転結合部は方向変更の位置に配置されている。このもう１つの移動可能な面要素には、さらに上記のフレキシブルな案内要素が接続することができる。このように構成することによって、このような排紙装置においても、枚葉紙を案内する最後のシリンダまたは胴から排紙パイルまで閉じた案内面が保証される。
【００１７】
面要素と前記もう１つの移動可能な面要素とが移動する際に、いずれの調整でも案内面と枚葉紙進行軌道との間の等しい間隔を保証するために、回転結合部が湾曲した中間部材からなるようにすることもできる。この中間部材は、面要素および当該もう１つの面要素と、それぞれ回転結合している。
【００１８】
どのような調整においても案内面と枚葉紙進行軌道との等しい間隔を実現するその他の可能性は、面要素がフレキシブルな結合部材により前記もう１つの移動可能な面要素と結合しており、このとき、この結合部材が方向変更の箇所に配置されていることである。この場合には、回転結合部を省略することができ、また移動の際に案内面に角が生じない。もちろん、上記の特徴の任意の組み合わせおよび構成が考えられる。
【００１９】
【発明の実施の形態】
以下に、本発明の実施の形態を図面に基づいて詳細に説明する。
【００２０】
図１は、枚葉紙案内装置の第１の実施形態を示す。この枚葉紙案内装置は印刷機の排紙装置３６に組み込まれている。排紙装置３６は枚葉紙を案内するシリンダまたは胴３８から枚葉紙を受け取り、枚葉紙進行方向１０に排紙パイル２０に搬送してそこで排紙する。この搬送区間上では申し分のない枚葉紙進行を実現し、しかも冒頭（［発明の属する技術分野］）に記載した表刷りと両面刷りとで異なる要求を考慮しなければならない。そのために、案内面２は両面刷りに対しては閉じた案内面２であり、表刷りに対しては隙間３が開くことでき、この隙間３に枚葉紙曲げ取り具（Bogenentroller）１が進入できるようになっている。図１は、第１の実施例を表刷りの位置で示す。ここでは隙間３は、移動可能な面要素４が揺動可能なレバー１３上に支持されていて、枚葉紙進行方向１０に移動することによって生じる。案内面２が排紙パイル２０まで閉じるようにするために、移動可能な面要素４は枚葉紙進行方向１０の端部で横棒８と結合している。横棒８は、移動可能な面要素４に直接続いている。この横棒８をまたいでフレキシブルな枚葉紙案内要素９が延びている。枚葉紙案内要素９の他方の端部１２は固定されており、このようにして案内面２は排紙パイル２０まで連続している。力１１、たとえば重りはフレキシブルな枚葉紙案内要素９が絶えずぴんと張っていて、面要素４の移動に応じて案内面２の案内面部分が長くなったり短くなったりするように横棒８をまたいで延びている。
【００２１】
フレキシブルな枚葉紙案内要素９は面要素４に反作用を及ぼすので、ストッパ４２が設けられ、該ストッパ４２が面要素４を正しい位置に停止させる。両面刷りでは、この力（反作用）は、張り出し部２５と駆動レバー５およびノッチ３５によって加えられる。これらについては、以下に詳しく説明する。
【００２２】
機能は次のとおりである。排紙装置３６の周回チェーン１８にヒンジ連結されたくわえ装置１９は、枚葉紙を案内する最後のシリンダまたは胴３８から枚葉紙を受け取り、まず最初の湾曲している固定の案内面部分３０上、つぎに、揺動される枚葉紙曲げ取り具１上に枚葉紙を案内する。枚葉紙曲げ取り具１は、公知の仕方で枚葉紙の巻き癖に逆らって作用する。その後、くわえ装置１９はチェーン１８によって枚葉紙を案内面２に沿って、移動可能な面要素４とフレキシブルな枚葉紙案内要素９を経て運び、排紙パイル２０に引き渡す。
【００２３】
図２は、表刷り位置における図１の拡大部分図である。枚葉紙曲げ取り具１は、揺動軸２８によって支持された揺動レバー２９に固定されており、固定の案内面部分３０と案内要素４との間に揺動して挿入（以下、揺動挿入と記す）される。揺動挿入のために必要な隙間３は、移動可能な面要素４が隙間３の大きさだけ枚葉紙進行方向１０にずれることによって達成される。その目的のために、揺動軸２７上に支持された揺動可能なレバー１３が用いられる。その際、図１に見られるように、それぞれ２つのそのような揺動可能なレバー１３が、１対は機械の駆動側で、１対は機械の操作側で移動可能な面要素４の下に配置されていることが好ましい。図示の位置で、枚葉紙曲げ取り具１は駆動レバー５上に支持されたローラ２３によって保持される。この駆動レバー５は２アーム回転レバーであり、第１のアーム６は枚葉紙曲げ取り具１の解放と揺動挿入に用いられ、第２のアーム７は面要素４の移動に用いられる。面要素４の移動を達成するために、第２のアーム７上にも同様にローラ２４が配置されている。ローラ２４は移動可能な面要素４の張り出し部２５の連結リンク２６と協働する。
【００２４】
図３は、両面刷り位置にある同じ部分を示す。図２の位置から図３の位に到達するために、駆動レバー５が回転する。その際、ローラ２３を備えた第１のアーム６は枚葉紙曲げ取り具１を解放し、枚葉紙曲げ取り具１は自重またはばね（図示せず）により揺動軸２８を中心に下方に揺動する。図３には、枚葉紙曲げ取り具１は、枚葉紙曲げ取り具１の揺動レバー２９が下方に揺動した位置で示されている。このように駆動レバー５が回転する間に、第２のアーム７は上方に動き、ローラ２４で移動可能な面要素４の張り出し部２５の連結リンク２６と係合する。面要素４は枚葉紙進行方向１０の反対方向に移動して、固定の案内要素部分３０に当たり、そこで駆動レバー５とノッチ３５によって保持される。２つの折り曲げ部３１と３１′が互いに当たり、その際、丸み３２のために、鋭角の段差は生じない。このように構成することによって、案内面２は閉じられ、両面印刷された枚葉紙はくわえ装置１９により枚葉紙進行軌道２１上を裏移りなしに動くことができる。そのために、案内面２はエアクッションを作るためのエアノズルをも備えることができる。
【００２５】
図４は、第１の実施形態を下から見た部分断面図である。この図には機械側が示され、側壁３３は切断されている。同図に明示されているように、駆動レバー５の回転軸２２は側壁３３を貫通していて、外からハンドレバー３４によって操作することができる。ノッチ３５の働きで、回転軸２２は所望の位置に保持されている。このノッチ３５は例えば、ばねで荷重をかけられた球として構成されている。図示された位置は、表刷り位置から両面刷り位置に切り換える間の位置に対応する。その際、駆動レバー５は、すでに図２の垂直位置から離れているが、枚葉紙曲げ取り具１をまだ完全に解放しておらず、さらに回転することによって枚葉紙曲げ取り具１を解放する位置に動き、続いて、または時間的にやや重なって、移動可能な面要素４の張り出し部２５にある連結リンク２６と係合して面要素４を移動させる。図４には、機械側だけが示されているに過ぎないが、機械を貫通して回転軸２２を形成し、一様な運動の経過が達成されて構成部分のねじれが生じることはないように、上記部分を機械の他方の側にも設けることは適切である。しかし、上記の部分は、機械の１つの側だけに設けることもできる。そのときには、場合によっては、均一な運動の経過を実現して部材のねじれを妨げるために、互いに向かい合って揺動可能な１対のレバー１３を横木４１によって互いに結合することが適切である。
【００２６】
図５は、枚葉紙進行軌道２１の方向変更部１６を有する第２の実施例を示す。この方向変更部１６は、枚葉紙を案内する最後のシリンダまたは胴３８の後、枚葉紙を斜め上方に搬送した後に水平に移行させるために用いられる。それによって、比較的高い排紙パイル２０を設けることが可能となるので、排紙パイル２０をそれほど頻繁に交換する必要がなくなる。枚葉紙進行軌道２１の方向変更部１６を有する排紙装置３７では、案内面２もこの方向変更１６に倣わなければならない。このために、枚葉紙進行軌道２１の方向変更部１６の位置に、移動可能な面要素４への回転可能な結合部（以下、回転結合部と記す）１５を有する他の移動可能な面要素１４が、移動可能な面要素４に続いている。その際、第１の移動可能な面要素４に対して、唯１対の揺動可能なレバー１３を設けることもできる。なぜならば、他方の端部は回転結合部１５によって保持されているからである。これに対して、第２の移動可能な面要素（前記他の移動可能な面要素）１４は２対の揺動可能なレバー１３を有している。もちろん、この実施形態では、上述の実施形態におけると同様に、揺動可能なレバー１３は他の構成の案内手段で置き換えることができる。
【００２７】
図５は、両面刷り位置における枚葉紙案内装置を示す。この位置では枚葉紙曲げ取り具１は揺動して解放されており、閉じた案内面２を実現するために隙間３は面要素４および他の移動可能な面要素１４の移動によって閉じている。この実施形態でも、フレキシブルな枚葉紙案内要素９を設けることができるが、異なるのは横棒８が他の移動可能な面要素１４に接続されている点である。枚葉紙案内要素９は他の移動可能な面要素１４から排紙パイル２０まで延びている。それ以外の点では、機能は上述の実施形態に対応している。
【００２８】
図６は、表刷り位置における第２の実施形態を示す。上述した仕方にしたがって枚葉紙曲げ取り具１を揺動挿入させるために、移動可能な面要素４は枚葉紙進行方向１０に動かされる。移動可能な面要素４は、回転結合１５を介して移動を他の移動可能な面要素１４に伝える。そうすることによって、全案内面２が協働して上記の運動を行う。上述のように、ここでもフレキシブルな枚葉紙案内要素９は、排紙パイル２０までの案内面２を閉じた状態に保つ働きをする。ただし、この構成では、移動により案内面２と枚葉紙進行軌道２１との間隔３９の部分的な拡大が生じる。しかし、これは表刷りには障害にならない。なぜならば、枚葉紙の裏側は印刷されておらず、裏移りが生じることはあり得ないからである。
【００２９】
図７は、両面刷り位置における第２の実施形態の変形例を示す。この変形例では、移動可能な面要素４と他の移動可能な面要素１４との間に、湾曲した中間部材１７が設けられている。中間部材１７は上述の部材４および１４のそれぞれとの回転結合１５を有する。
【００３０】
図８は、同じ実施形態を表刷り位置で示す。２つの位置を比較すると、案内面２と枚葉紙進行軌道２１との間隔３９は、面要素４および１４の移動によって変化しない。この変形例は、表刷りにおいても常に正確な枚葉紙進行を保証するために用いられる。これは、たとえば枚葉紙が再度通過することによって裏刷りを行う場合に利点がある。
【００３１】
図９ａおよび９ｂは、図７および図８の拡大した詳細図を示す。図から明らかなように、表刷り位置（図９ｂ）に切り換えることによって、湾曲した中間部材１７と他の移動可能な面要素１４との間の回転結合１５に縁４０が生じる。しかし、この縁４０は、表刷りにおいて支障はない。エアクッションを中断するような隙間が生じなければ、なおのことである。
【００３２】
その上、フレキシブルな結合部材を用いた図示されない変形例は、縁４０を避けることもできる。
【図面の簡単な説明】
【図１】第１の実施形態を示す図である。
【図２】表刷り位置における第１の実施形態の拡大部分図である。
【図３】両面刷り位置における第１の実施形態の拡大部分図である。
【図４】第１の実施形態を下から見た図であり、一部断面図である。
【図５】枚葉紙進行軌道の方向変更を有する第２の実施形態を両面刷り位置で示す図である。
【図６】枚葉紙進行軌道の方向変更を有する第２の実施形態を表刷り位置で示す図である。
【図７】第２の実施形態の変形を両面刷り位置で示す図である。
【図８】第２の実施形態の変形を表刷り位置でを示す図である。
【図９】図７、図８を拡大した詳細図で、図９ａは図７の詳細図、図９ｂは図８の詳細図である。
【符号の説明】
１  枚葉紙曲げ取り具
２  案内面
３  開閉可能な隙間
４  移動可能な面要素
５  駆動レバー
６  レバーの第１のアーム
７  レバーの第２のアーム
８  横棒
９  フレキシブルな枚葉紙案内要素
１０  枚葉紙進行方向
１１  力
１２  フレキシブルな枚葉紙案内要素の他方の端部
１３  揺動可能なレバー
１４  他の移動可能な面要素
１５、１５'  回転結合
１６  枚葉紙進行軌道の方向変更位置
１７  湾曲した中間部材
１８  チェーンガイド
１９  くわえ装置
２０  排紙パイル
２１  枚葉紙進行軌道
２２  駆動レバー５の回転軸
２３  枚葉紙曲げ取り具を放すローラ
２４  面要素を移動させるローラ
２５  張り出し部
２６  連結リンク
２７  揺動可能なレバー１３の揺動軸
２８  枚葉紙曲げ取り具の揺動軸
２９  枚葉紙曲げ取り具の揺動レバー
３０  固定案内面部分
３１、３１'  案内面の折り曲げ部
３２  丸み
３３  側壁
３４  ハンドレバー
３５  ノッチ
３６  排紙装置
３７  枚葉紙進行軌道の方向変化を有する排紙装置
３８  枚葉紙を案内するシリンダまたは胴
３９  案内面と枚葉紙進行軌道との間隔
４０  縁
４１  横木
４２  ストッパ